(57)【要約】      （修正有）【課題】電話番号の検索性が良好な携帯電話機を提供する。【解決手段】電話機回路に装備されたメモリ122には、複数人の電話相手の夫々について、氏名と、電話番号と、その電話相手が属するグループ（分類データ）とが互いに関連づけて記憶されており、電話番号の検索時に、システム制御部121は、メモリ122から全てのグループ（分類データ）を読み出し、入力表示装置101に表示させる。これらのグループの中から特定のグループを選択すると、システム制御部121は、該グループに属する電話相手の氏名をメモリ122から読み出し、入力表示装置101に表示させる。また、グループ名が登録されていないグループは名称未設定として表示する。【選択図】図２
2004274782.tif 000002
【特許請求の範囲】
【請求項１】
電話機回路を内蔵したケーシングの表面に、データ入力装置及び表示装置を設置した携帯電話機において、電話機回路は、
電話をかけることとなる複数人の電話相手の夫々について、電話相手を特定するための名前データと、電話相手の電話番号データと、電話相手が属するグループを示す分類データのイメージを使用者の操作により互いに関連づけて記憶する記憶手段と、
前記記憶手段に記憶した電話番号を読み出すために、データ入力装置の操作に基づく指令に応じて、前記記憶手段に記憶された全ての分類データのイメージを読み出し、表示装置へこれらの分類データを表示させる表示制御手段とを備え、
これらの分類データを表示させる際に、グループ名が予め登録されていないデータを名称未設定の分類データとして表示することを特徴とする携帯電話機。
【発明の詳細な説明】
【技術分野】
【０００１】
本発明は携帯電話機に関し、特に、電話をかける相手の電話番号を検索する機能を具えた携帯電話機に関するものである。
【背景技術】
【０００２】
現在、携帯電話機の方式としては、アナログ方式自動車電話システム、デジタル方式自動車電話システム、及びパーソナル・ハンディフォン・システム(ＰＨＳ)の３方式が存在しており、この種の携帯電話機は、携帯可能なケーシングの内部に電話機回路を内蔵すると共に、ケーシング表面に、通話のためのスピーカやマイクロホンの他、電話番号を入力するための操作キー、入力した電話番号を確認するための小型のディスプレイ等を配列して構成されている。
【０００３】
ところで、従来、電話をかけるべき複数人の電話相手の氏名と電話番号をテーブル化して、これを電話機回路に設けたメモリに記憶しておき、特定の相手に電話をかける際には、その相手の氏名の頭文字を入力することによって、該頭文字から始まる氏名及び電話番号をディスプレイに表示し、電話番号の検索を可能としたものが知られている。
【特許文献１】特開平5-3507号公報
【発明の開示】
【発明が解決しようとする課題】
【０００４】
しかしながら、携帯電話機においては、ケーシングを出来るだけ小形化する必要があるため、ディスプレイの画面サイズには限界があり、１つの頭文字から始まる氏名が多数存在する場合は、これらの氏名及び電話番号を画面上に一度に表示することは出来ない。従って、表示画面を次のページに切り替えつつ、目的とする氏名を検索する操作が必要である。
【０００５】
この場合、１つの画面に表示される複数人の電話相手は、単に同じ頭文字から始まる点で共通しているに過ぎず、これらの電話相手の中には、例えば、友人、会社関係の知人、同一サークルに属する仲間など、種々のグループに属する者が含まれることになる。
【０００６】
従って、特定のグループに属する電話相手を検索する場合でも、同一画面上に表示されている全ての氏名を対象として検索せねばならず、煩雑である問題があった。
【０００７】
また、特定のグループを予め設定しているならば、使用者のグループ分けする自由度が低くなってしまう。
【０００８】
本発明の目的は、電話番号を検索する際に、氏名を一覧表示すべき表示装置が小型であっても、検索性の良好な携帯電話機を提供することである。
【課題を解決するための手段】
【０００９】
本発明に係る携帯電話では、電話をかけることとなる複数人の電話相手の夫々について、電話相手を特定するための名前データと、電話相手の電話番号データと、電話相手が属するグループを示す分類データのイメージを使用者の操作により互いに関連づけて記憶する記憶手段と、前記記憶手段に記憶した電話番号を読み出すために、データ入力装置の操作に基づく指令に応じて、前記記憶手段に記憶された全ての分類データのイメージを読み出し、表示装置へこれらの分類データを表示させる表示制御手段とを備え、これらの分類データを表示させる際に、グループ名が予め登録されていないデータを名称未設定の分類データとして表示することを特徴とするものである。
【００１０】
上記携帯電話機においては、データ入力装置の操作に基づいて、先ず、表示装置には全てのグループを示す分類データが一覧表示され、この状態で、データ入力装置の操作によって、検索せんとする電話相手が属する分類データを選択すると、該分類データに属する１或いは複数人の電話相手の名前が表示装置に一覧表示されることになる。その表示のうち、分類データの名称が設定されていない部分には名称未設定である旨を表示する。
【発明の効果】
【００１１】
本発明に係る携帯電話機においては、電話をかけることとなる複数人の電話相手が、使用者が設定できる複数のグループ（分類データ）に予め分類されており、電話をかける際には、特定のグループ（分類データ）のイメージに基づいて予備検索が行なわれるので、同一画面上には、該特定のグループ（分類データ）に属する電話相手のみが表示される。従って、相手の名前を一覧表示すべき表示装置が小型であっても、表示されている電話相手の中から目的とする一人を選択することは容易であり、検索性は良好である。また、予め決められたグループ（分類データ）名に属さないものについては、名称未設定として表示でき、使用者がグループ名を気にせずに自由に使用できる。
【発明を実施するための最良の形態】
【００１２】
以下、本発明をファクシミリ機能付きＰＨＳに実施した形態につき、図面に沿って具体的に説明する。
【００１３】
本発明のＰＨＳは図１に示す如く、携帯可能な扁平なケーシング(１)の表面に、受話用のスピーカ(102)や送話用のマイクロホン(103)を具えると共に、データ入力機能及び表示機能を兼ね具えた入力表示装置(101)を設置して構成されている。該入力表示装置(101)は、例えば液晶表示パネルの表面にタッチ入力式のデジタイザを設置して構成される。
【００１４】
上記ケーシング(１)の内部には、図２に示す電話機回路が内蔵されている。
【００１５】
内蔵アンテナ(104)にて送受信される音声信号は、ＲＦ／ＩＦ部(105)にて周波数変換が施される。ＲＦ／ＩＦ部(105)には、π／４シフト４相ＱＰＳＫ変復調を行なう変復調部(106)を介して、デジタル信号処理回路(107)が接続され、該回路によって、ＰＨＳ規格に基づくＴＤＭＡ処理や、ＣＣＨ(共通制御チャネル)の送受信処理及びＴＣＨ(通話チャネル)の送受信処理等のデジタル信号処理が施される。
【００１６】
デジタル信号処理回路(107)には、受信される音声信号に必要な処理を施す音声信号処理回路(108)が接続され、該回路(108)には、Ｄ／Ａコンバータ(109)を介して、受話用スピーカ(102)が接続されると共に、Ａ／Ｄコンバータ(112)を介して、送話用マイクロホン(103)が接続されている。
【００１７】
一方、ファクシミリユニット(113)は、ＦＡＸ制御部(117)、ＦＡＸコーデック(115)、符号化メモリ(114)及びページメモリ(116)から構成される。
【００１８】
システム制御回路(121)はマイクロコンピュータから構成され、該システム制御回路(121)には、前記ＲＦ／ＩＦ部(105)及びデジタル信号処理回路(107)が接続されると共に、ファクシミリ送信データの変復調を行なうＦＡＸモデム(118)を介して、前記ファクシミリユニット(113)が接続されている。
【００１９】
更にシステム制御回路(121)には、入力表示装置(101)に対する所定の表示や、ページメモリ(116)に記憶されるファクシミリ画像データの表示等を行なうための表示制御回路(119)と、入力表示装置(101)から入力される手書き入力データ及び操作入力データを検出する入力検出回路(120)と、後述のダイヤル情報メモリ(122)とが接続されている。
【００２０】
ダイヤル情報メモリ(122)には、図３に示す電話帳ファイルと、図４に示すイメージデータファイルとが記憶される。
【００２１】
電話帳ファイルには、図３の如く、電話をかけることとなる複数人の電話相手の夫々について、氏名、電話番号及び分類番号がテーブル化されて書き込まれている。又、イメージデータファイルには、図４の如く、各分類番号について、その分類によって特定されるグループを象徴するマーク(イメージデータ)と、そのマークの名称(コードデータ)とが書き込まれている。
【００２２】
図５乃至図７は、前記システム制御部(121)が実行する制御手続きの内、本発明の特徴部分、即ち、前記電話帳ファイル及びイメージデータファイルに基づくマーク検索及び加電制御手続き(図５及び図６)と、電話帳ファイルに対する新規登録手続き(図７)とを表わしている。
【００２３】
又、図８乃至図１１は、マーク検索及び加電制御手続きの実行によって入力表示装置(101)に表示される一連の画面を表わし、図１２乃至図１５は、新規登録手続きの実行によって入力表示装置(101)に表示される一連の画面を表わしている。
【００２４】
図５に示す如く、電話モードが設定されると、先ずステップＳ１にて初期画面(図８)を表示した後、ステップＳ２にて、図８に矢印で示す「電話帳」アイコンの入力操作によって電話帳モードが設定されたかどうかを判断する。
【００２５】
ステップＳ２にて電話帳モードが設定されたものと判断されたときは、ステップＳ３に移行して、ア音引画面(図９)を表示する。
この状態で、検索目的とする電話相手の氏名の頭文字を選択すると、その頭文字から始まる氏名が一覧表示され、従来と同様の頭文字による検索が可能となる。
【００２６】
一方、図９の画面で矢印で示す「マーク」アイコンを入力操作すると、ステップＳ４にてマーク検索モードが選択されたものと判断され、ステップＳ５にてマーク選択画面(図１０)が表示される。本実施例では、図４に示す如く、「男性」を象徴するマーク、「女性」を象徴するマーク、「家族」を象徴するマーク、「親戚」を象徴するマーク、「会社」を象徴するマーク、「サークル」を象徴するマーク等のイメージデータが、イメージデータファイルに書き込まれており、該イメージデータファイルからイメージデータを読み出すことによって、図１０に示す如く全てのマークが一覧表示される。尚、マーク選択画面は複数頁によって構成することも可能である。
【００２７】
例えば、図１０の画面で矢印で示す「会社」を象徴するマークを入力操作すると、図５のステップＳ６にて特定のマークが選択されたものと判断され、図６のステップＳ７に移行して、選択されたマークの分類番号に基づいて電話帳ファイルが検索され、該分類番号の下で登録されている全ての氏名が電話帳ファイルから読み出され、図１１の如くその一覧画面が表示される。
【００２８】
尚、図１０の画面で特定のマークを選択したとき、そのマークの名称をイメージデータファイルから読み出して、その名称をマーク表示位置の近傍に一定時間だけ表示することが可能である。
【００２９】
図１１の画面で、目的の電話相手の氏名を入力操作すると、図６のステップＳ８にて氏名が選択されたものと判断されて、ステップＳ９に移行し、該氏名が反転表示されると共に、該電話相手の電話番号が電話帳ファイルから読み出される。この結果、図１１の如くその電話番号が画面に表示される。
【００３０】
その後、図６のステップＳ１０にて、図１１の「通話」アイコンが入力操作されたかどうかが判断され、ＹＥＳのときは、ステップＳ１１にて、画面に表示されている電話番号について加電処理が行なわれ、目的の相手に自動的に電話がかけられる。
【００３１】
又、図１１の画面で矢印で示す「新規」アイコンを入力操作すると、新規登録モードが設定される。
【００３２】
新規登録モードでは、先ず図７のステップＳ２１にて、新規登録画面(図１２)が表示される。新規登録画面には、図示の如く５０音のひらがなからなる入力パレットや、英数字の入力パレット等が切換え表示され、これらの入力パレットを用いて、図１３の如く新規登録すべき電話相手の氏名と電話番号をデータ入力する。
【００３３】
これによって、図７のステップＳ２２では、氏名及び電話番号についてのデータ入力が行なわれたものと判断されて、ステップＳ２３に移行し、図１３に矢印で示すマークアイコンの入力操作に待機する。
【００３４】
尚、氏名のデータ入力においては、氏及び名の両方を入力することが原則であるが、何れか一方、或いはニックネーム等の入力も可能である。
【００３５】
マークアイコンが入力操作されると、ステップＳ２４に移行して、マーク選択画面(図１４)を表示する。マーク選択画面の表示に際しては、登録されている全てのマークのイメージデータ及び名称がイメージデータファイルから読み出され、図１４の如くこれらのマーク及び名称が一覧表示される。
【００３６】
この状態で、図中に矢印で示す如く、新規登録すべき電話相手が属すべきグループのマークを選択すると、図７のステップＳ２５にてマークが選択されたものと判断されて、ステップＳ２６にて、新規登録すべき電話相手の氏名、電話番号、分類番号が電話帳ファイルに書き込まれ、１回の登録手続きが終了する。
【００３７】
この結果、入力表示装置(101)の画面には、図１５に示す如く新規登録された電話相手の氏名、電話番号及びマークが表示される。
【００３８】
この状態で、図１５に矢印で示す如く「戻る」アイコンを入力操作すると、図７のステップＳ２７にて、登録が終了したものと判断されて、電話モードにおける図１１の一覧表示状態に戻る。これに対し、図１５の「新規」アイコンを操作すると、ステップＳ２１に戻って、次の電話相手について新規登録手続きが繰り返される。
【００３９】
上述のＰＨＳにおいては、入力表示装置(101)の画面が小型であっても、選択した特定のグループに属する電話相手の氏名が検索されて、これらの氏名がグループのマークと共に画面に一覧表示されるので、その中から目的とする相手の氏名を選択することは、従来の頭文字による検索方式よりも容易であり、検索性は良好である。
【００４０】
上記実施の形態の説明は、本発明を説明するためのものであって、特許請求の範囲に記載の発明を限定し、或は範囲を減縮する様に解すべきではない。又、本発明の各部構成は上記実施の形態に限らず、特許請求の範囲に記載の技術的範囲内で種々の変形が可能であることは勿論である。
【産業上の利用可能性】
【００４１】
電話帳を備える携帯電話機の技術として有用である。
【図面の簡単な説明】
【００４２】
【図１】本発明を実施したＰＨＳの平面図である。
【図２】該ＰＨＳの電話機回路を表わすブロック図である。
【図３】電話帳ファイルのデータフォーマットを表わす図表である。
【図４】イメージデータファイルのデータフォーマットを表わす図表である。
【図５】マーク検索及び加電制御手続きの前半を表わすフローチャートである。
【図６】同上手続きの後半を表わすフローチャートである。
【図７】新規登録手続きを表わすフローチャートである。
【図８】初期画面を表わす図である。
【図９】ア音引画面を表わす図である。
【図１０】マーク選択画面を表わす図である。
【図１１】マーク選択後の一覧画面を表わす図である。
【図１２】新規登録画面の初期状態を表わす図である。
【図１３】新規登録画面に氏名及び電話番号を入力した状態を表わす図である。
【図１４】新規登録時のマーク選択画面を表わす図である。
【図１５】登録終了時の画面を表わす図である。
【符号の説明】
【００４３】
(１)   ケーシング
(101)  入力表示装置
(102)  スピーカ
(103)  マイクロホン
【図１】
2004274782.tif 000003
【図２】
2004274782.tif 000004
【図３】
2004274782.tif 000005
【図４】
2004274782.tif 000006
【図５】
2004274782.tif 000007
【図６】
2004274782.tif 000008
【図７】
2004274782.tif 000009
【図８】
2004274782.tif 000010
【図９】
2004274782.tif 000011
【図１０】
2004274782.tif 000012
【図１１】
2004274782.tif 000013
【図１２】
2004274782.tif 000014
【図１３】
2004274782.tif 000015
【図１４】
2004274782.tif 000016
【図１５】
2004274782.tif 000017
【手続補正書】
【提出日】平成16年4月30日(2004.4.30)
【手続補正１】
【補正対象書類名】特許請求の範囲
【補正対象項目名】請求項１
【補正方法】変更
【補正の内容】
【請求項１】
電話機回路を内蔵したケーシングの表面に、データ入力装置及び表示装置を設置した携帯電話機において、電話機回路は、
電話をかけることとなる複数人の電話相手の夫々について、電話相手を特定するための名前データと、電話相手の電話番号データと、電話相手が属するグループを示す分類データのイメージを使用者の操作により互いに関連づけて記憶する記憶手段と、
データ入力装置の操作に基づく指令に応じて、前記記憶手段に記憶された全ての分類データのイメージを読み出し、表示装置へこれらの分類データを表示させる表示制御手段とを備え、
これらの分類データを表示させる際に、グループ名が予め登録されていないデータを名称未設定の分類データとして表示するとともに、表示された分類データを選択することで、その分類データに関連づけられた電話相手の名前データを前記記憶手段から読み出すことを特徴とする携帯電話機。
【手続補正２】
【補正対象書類名】明細書
【補正対象項目名】０００９
【補正方法】変更
【補正の内容】
【０００９】
本発明に係る携帯電話では、電話機回路を内蔵したケーシングの表面に、データ入力装置及び表示装置を設置した携帯電話機において、電話機回路は、電話をかけることとなる複数人の電話相手の夫々について、電話相手を特定するための名前データと、電話相手の電話番号データと、電話相手が属するグループを示す分類データのイメージを使用者の操作により互いに関連づけて記憶する記憶手段と、データ入力装置の操作に基づく指令に応じて、前記記憶手段に記憶された全ての分類データのイメージを読み出し、表示装置へこれらの分類データを表示させる表示制御手段とを備え、これらの分類データを表示させる際に、グループ名が予め登録されていないデータを名称未設定の分類データとして表示するとともに、表示された分類データを選択することで、その分類データに関連づけられた電話相手の名前データを前記記憶手段から読み出すことを特徴とする。